(57)【要約】【課題】大容量の記憶媒体を使用した場合においても、画像ファイルの素早い検索を可能にし、かつ画像データが表示されるまでの時間を短縮する。【解決手段】再生時のモードとして、再生動作を進行させるための操作部１３の所定の操作キーが１回押下された時に、再生される記憶媒体上のファイルの順序番号を、予め指定された再生順序（正順または逆順）に従って１ファイル分だけ進める状態であることを示す第１の再生モードと、再生動作を進行させるための操作部１３の所定の操作キーが１回押下された時に、再生されるファイルの順序番号を、予め設定された再生順序に従ってｎ（ｎ≧１）ファイル分だけ進める状態であることを示す第２の再生モードとが設けられる。ｎの数値は、撮影した全ファイル数に対応して所定の算式により自動的に決定されるが、操作者により設定することも可能である。【選択図】　　　　図１
2004112708.tif 000002
【特許請求の範囲】
【請求項１】
被写体を撮影して得られた画像データのファイルを記憶媒体に記録する機能と、前記記録された画像データのファイルを再生表示する機能を有するデジタルカメラにおいて、
操作者が指定すべき情報を入力するための操作キーを備えた指定情報入力手段と、
前記記憶媒体に記録されたファイルが記録されている記録場所のうち、再生すべきファイルが記録されている場所の範囲を指定する再生範囲指定手段と、
再生すべきファイルの再生順序を指定する再生順序指定手段と、
再生すべきファイルのサムネイルを再生表示するサムネイル表示手段と、
再生すべきファイルの主画像を再生表示する主画像表示手段と、
再生動作を進行させるための前記指定情報入力手段の所定の操作キーが１回押下された時には、再生されるファイルの順序番号を、前記再生順序指定手段により指定された再生順序に従って１ファイル分だけ進める状態であることを示す第１の再生モードと、
再生動作を進行させるための前記指定情報入力手段の所定の操作キーが１回押下された時には、再生されるファイルの順序番号を、前記再生順序指定手段により指定された再生順序に従ってｎ（ｎ≧１）ファイル分だけ進め、超高速再生を実現する第２の再生モードと、
前記第１の再生モードと第２の再生モードのいずれの再生モードであるかを指定する再生モード指定手段とを備え、
前記第１の再生モードが指定されていて、かつ前記所定の操作キーが押下されている間は前記第１の再生モード下における前記所定の操作キーの作用に従って前記サムネイル表示手段の実行を継続し、前記サムネイル表示手段の実行後に、前記所定の操作キーが押下されていない場合は前記主画像表示手段を実行し、
前記第２の再生モードが指定されていて、かつ前記所定の操作キーが押下されている間は前記第２の再生モード下における前記所定の操作キーの作用に従って前記サムネイル表示手段の実行を継続し、前記サムネイル表示手段の実行後に、前記所定の操作キーが押下されていない場合は、前記主画像表示手段を実行することを特徴とするデジタルカメラ。
【請求項２】
前記記憶媒体に記録されたファイルの前記記録場所をコマ番号で示すと共に、代表的な全ファイル分のコマ数と、前記コマ数から所定の算式により決定される前記ｎの数値とを対応付けて一覧記載した対応表を備え、前記第２の再生モード下での再生時に使用される前記ｎの値を、実際の撮影により得られた全ファイルのファイル数に応じて前記対応表から選択することを特徴とする請求項１記載のデジタルカメラ。
【請求項３】
前記記憶媒体に記録されたファイルの前記記録場所をコマ番号で示すと共に、代表的な全ファイル分のコマ数と、前記コマ数に対応させて前記操作者が予め決定した前記ｎの数値とを対応付けて一覧記載した対応表を備え、前記第２の再生モード下での再生時に使用される前記ｎの値を、実際の撮影により得られた全ファイルのファイル数に応じて前記対応表から選択することを特徴とする請求項１記載のデジタルカメラ。
【請求項４】
前記指定情報入力手段の所定の複数の操作キーを同時に押下することで、超高速モードに入ることを特徴とする請求項１乃至３のいずれか１項に記載のデジタルカメラ。
【請求項５】
被写体を撮影して得られた画像データのファイルを再生表示するデジタルカメラの画像データ再生方法において、
操作者が指定すべき情報を操作キーにより入力する指定情報入力ステップと、
前記記憶媒体に記録されたファイルが記録されている記録場所のうち、再生すべきファイルが記録されている場所の範囲を指定する再生範囲指定ステップと、
再生すべきファイルの再生順序を指定する再生順序指定ステップと、
再生すべきファイルのサムネイルを再生表示するサムネイル表示ステップと、
再生すべきファイルの主画像を再生表示する主画像表示ステップと、
再生動作を進行させるための前記指定情報入力手段の所定の操作キーが１回押下された時には、再生されるファイルの順序番号を、前記再生順序指定手段により指定された再生順序に従って１ファイル分だけ進める状態であることを示す第１の再生モードを設定するステップと、
再生動作を進行させるための前記指定情報入力手段の所定の操作キーが１回押下された時には、再生されるファイルの順序番号を、前記再生順序指定手段により指定された再生順序に従ってｎ（ｎ≧１）ファイル分だけ進め、超高速再生を実現する第２の再生モードを設定するステップと、
前記第１の再生モードと第２の再生モードのいずれの再生モードであるかを指定する再生モード指定ステップとを備え、
前記第１の再生モードが指定されていて、かつ前記所定の操作キーが押下されている間は前記第１の再生モード下における前記所定の操作キーの作用に従って前記サムネイル表示ステップの実行を継続し、前記サムネイル表示ステップの実行後に、前記所定の操作キーが押下されていない場合は前記主画像表示ステップを実行し、
前記第２の再生モードが指定されていて、かつ前記所定の操作キーが押下されている間は前記第２の再生モード下における前記所定の操作キーの作用に従って前記サムネイル表示ステップの実行を継続し、前記サムネイル表示ステップの実行後に、前記所定の操作キーが押下されていない場合は、前記主画像表示ステップを実行することを特徴とするデジタルカメラの画像データ再生方法。
【発明の詳細な説明】
【０００１】
【発明の属する技術分野】
本発明は、デジタルカメラおよびデジタルカメラの画像データ再生方法に関し、特に、超高速再生モードを備えたデジタルカメラおよびデジタルカメラの画像データ再生方法に関する。
【０００２】
【従来の技術】
近年、銀塩写真で代表されるアナログカメラに替わり、デジタルカメラが普及してきている。
このデジタルカメラでは、カメラ本体に着脱可能な記憶媒体を備え、撮影した静止画ファイルを、この記憶媒体に記憶したり、記憶媒体に記憶した静止画ファイルを読み出して再生したりしている。
このようなカメラ本体に着脱可能な記憶媒体としては、スマートメディア（Ｓｍａｒｔ　ｍｅｄｉａ：登録商標）や、コンパクトフラッシュ（登録商標）や、ＳＤ（商標）カードや、マイクロドライブ（ＭＩＣＲＯＤＲＩＶＥ：登録商標）などが知られている。
ユーザ（操作者）は、この着脱可能な記憶媒体に静止画を撮影した後、この記憶媒体をパーソナルコンビュータ（以下、「ＰＣ」と呼称する）などに移して接続し、この記憶媒体に記録されている静止画ファイルを読み出して、撮影した静止画をＰＣの表示装置に表示させたり、ファイルを転送したりしており、即ち、このような形態で記憶媒体を使用している。
【０００３】
【発明が解決しようとする課題】
ところで、前述のとおり、カメラ本体に着脱可能な記憶媒体は、大容量化が進んでおり、それと共に大量の静止画ファイルを格納することができるようになった。しかし、これにより、デジタルカメラ装置においては、大量の静止画ファイルを一度に（連続して）撮影することが可能になった反面、管理すべき静止画ファイルの数が多くなり、記憶媒体の検索処理などに多大の時間を必要とし、表示されるのが遅くなるというデメリットも発生するようになった。
具体的には、例えばコンパクトフラッシュ（登録商標）のメモリ容量は、４Ｍ　ｂｙｔｅ、８Ｍ　ｂｙｔｅと拡大し、近年では２５６Ｍ　ｂｙｔｅ、５１２Ｍ　ｂｙｔｅ　などの大容量のものが、安価に入手できるようになっている。
一方、デジタルカメラ本体については、撮像データの高画素化が進み、現在では、３００メガピクセル、４００メガピクセルのＣＣＤ（Ｃｈａｒｇｅ　Ｃｏｕｐｌｅｄ　Ｄｅｖｉｃｅ）を搭載したものが普及している。但し、上記の高画素の装置であっても、低画素（例えば、３０メガピクセル）で撮影することは可能である。このため、ユーザは、撮影する用途に合わせて画素サイズを変更し、撮影を行っている。
【０００４】
例えば、ユーザは、最初から印刷すると決定しているものについては高画素で撮影し、撮影後に他システムに通信手段により送信すると決定しているものについては低画素で撮影するといった具合である。
従来は、低画素の撮影で、大容量のコンパクトフラッシュ（登録商標）を使用した場合においては、画像ファイルの検索に時間が掛かり過ぎて、画像データが表示されるまでの待ち時間が長くなるという問題点があった。ちなみに、低画素の撮影で、大容量のコンパクトフラッシュ（登録商標）を使用した場合には、１枚の記憶媒体で、１０００枚近くの静止画像が撮影可能となる。
本発明は、上述した事情に鑑みてなされたもので、大容量の記憶媒体を使用した場合においても、画像ファイルの素早い検索を可能にし、かつ画像データが表示されるまでの時間を短縮することができ、特に超高速再生モードを指定した場合は、大幅な時間短縮をすることができるデジタルカメラを提供することを目的としている。
【０００５】
本発明の他の目的は、大容量の記憶媒体を使用した場合においても、画像ファイルの素早い検索を可能にし、かつ画像データが表示されるまでの時間を短縮することができるデジタルカメラの画像データ再生方法を提供することにある。
本発明の請求項１の目的は、特に、再生すべきファイルの記録場所の範囲指定を簡単に行うと共に、この指定された範囲内で、１またはｎのファイル間隔で順次に再生表示されるサムネイル画像（主画像に対応している）を操作者が一目で視認できるようにし、これにより、主画像まで再生表示すべきファイルを、操作者が素早く見つけて選択できるようにしたデジタルカメラを提供することにある。
本発明の請求項２の目的は、特に、主画像まで再生表示すべきファイルを、操作者が素早く見つけて選択できるようにしたデジタルカメラを提供することにある。
本発明の請求項３の目的は、特に、ファイルにコマ番号を割り当てて、以後は、このコマ番号でファイルへアクセスできるようにすると共に、操作キーの１回の押下に対応したコマ送り数を、算式任せにはしないで、操作者が予め行った判断に基づいて設定できるようにしたデジタルカメラを提供することにある。
【０００６】
本発明の請求項４の目的は、特に、前記指定情報入力手段の所定の複数の操作キーを同時に押下することで、前記超高速モードに入るように構成することが可能として、前記超高速モードの指定を容易に、かつ迅速に行えるようにした安価なデジタルカメラを提供することにある。
本発明の請求項５の目的は、特に、再生すべきファイルの記録場所の範囲指定を簡単に行うと共に、この指定された範囲内で、１またはｎ（ｎ≧１）のファイル間隔で順次に再生表示されるサムネイル画像（主画像に対応している）を操作者が一目で視認できるようにし、これにより、主画像まで再生表示すべきファイルを、操作者が素早く見つけて選択できるようにしたデジタルカメラの画像データ再生方法を提供することにある。
【０００７】
【課題を解決するための手段】
請求項１に記載した本発明に係るデジタルカメラは、上述した目的を達成するために、被写体を撮影して得られた画像データのファイルを記憶媒体に記録する機能と、前記記録された画像データのファイルを再生表示する機能を有するデジタルカメラにおいて、操作者が指定すべき情報を入力するための操作キーを備えた指定情報入力手段と、前記記憶媒体に記録されたファイルが記録されている記録場所のうち、再生すべきファイルが記録されている場所の範囲を指定する再生範囲指定手段と、再生すべきファイルの再生順序を指定する再生順序指定手段と、再生すべきファイルのサムネイルを再生表示するサムネイル表示手段と、再生すべきファイルの主画像を再生表示する主画像表示手段と、再生動作を進行させるための前記指定情報入力手段の所定の操作キーが１回押下された時には、再生されるファイルの順序番号を、前記再生順序指定手段により指定された再生順序に従って１ファイル分だけ進める状態であることを示す第１の再生モードと、再生動作を進行させるための前記指定情報入力手段の所定の操作キーが１回押下された時には、再生されるファイルの順序番号を、前記再生順序指定手段により指定された再生順序に従ってｎ（ｎ≧１）ファイル分だけ進める状態であることを示す第２の再生モードと、前記第１の再生モードと第２の再生モードのいずれの再生モードであるかを指定する再生モード指定手段とを備え、前記第１の再生モードが指定されていて、かつ前記所定の操作キーが押下されている間は前記第１の再生モード下における前記所定の操作キーの作用に従って前記サムネイル表示手段の実行を継続し、前記サムネイル表示手段の実行後に、前記所定の操作キーが押下されていない場合は前記主画像表示手段を実行し、前記第２の再生モードが指定されていて、かつ前記所定の操作キーが押下されている間は前記第２の再生モード下における前記所定の操作キーの作用に従って前記サムネイル表示手段の実行を継続し、前記サムネイル表示手段の実行後に、前記所定の操作キーが押下されていない場合は、前記主画像表示手段を実行することを特徴としている。
【０００８】
また、請求項２に記載した本発明に係るデジタルカメラは、前記記憶媒体に記録されたファイルの前記記録場所をコマ番号で示すと共に、代表的な全ファイル分のコマ数と、前記コマ数から所定の算式により決定される前記ｎの数値とを対応付けて一覧記載した対応表を備え、前記第２の再生モード下での再生時に使用される前記ｎの値を、実際の撮影により得られた全ファイルのファイル数に応じて前記対応表から選択することを特徴としている。
また、請求項３に記載した本発明に係るデジタルカメラは、前記記憶媒体に記録されたファイルの前記記録場所をコマ番号で示すと共に、代表的な全ファイル分のコマ数と、前記コマ数に対応させて前記操作者が予め決定した前記ｎの数値とを対応付けて一覧記載した対応表を備え、前記第２の再生モード下での再生時に使用される前記ｎの値を、実際の撮影により得られた全ファイルのファイル数に応じて前記対応表から選択することを特徴としている。
さらに、請求項４に記載した本発明に係るデジタルカメラは、前記指定情報入力手段の所定の複数の操作キーを同時に押下することで、超高速モードに入ることを特徴としている。
【０００９】
請求項５に記載した本発明に係るデジタルカメラの画像データ再生方法は、上述した目的を達成するために、被写体を撮影して得られた画像データのファイルを再生表示するデジタルカメラの画像データ再生方法において、操作者が指定すべき情報を操作キーにより入力する指定情報入力ステップと、前記記憶媒体に記録されたファイルが記録されている記録場所のうち、再生すべきファイルが記録されている場所の範囲を指定する再生範囲指定ステップと、再生すべきファイルの再生順序を指定する再生順序指定ステップと、再生すべきファイルのサムネイルを再生表示するサムネイル表示ステップと、再生すべきファイルの主画像を再生表示する主画像表示ステップと、再生動作を進行させるための前記指定情報入力手段の所定の操作キーが１回押下された時には、再生されるファイルの順序番号を、前記再生順序指定手段により指定された再生順序に従って１ファイル分だけ進める状態であることを示す第１の再生モードを設定するステップと、再生動作を進行させるための前記指定情報入力手段の所定の操作キーが１回押下された時には、再生されるファイルの順序番号を、前記再生順序指定手段により指定された再生順序に従ってｎ（ｎ≧１）ファイル分だけ進める状態であることを示す第２の再生モードを設定するステップと、前記第１の再生モードと第２の再生モードのいずれの再生モードであるかを指定する再生モード指定ステップとを備え、前記第１の再生モードが指定されていて、かつ前記所定の操作キーが押下されている間は前記第１の再生モード下における前記所定の操作キーの作用に従って前記サムネイル表示ステップの実行を継続し、前記サムネイル表示ステップの実行後に、前記所定の操作キーが押下されていない場合は前記主画像表示ステップを実行し、前記第２の再生モードが指定されていて、かつ前記所定の操作キーが押下されている間は前記第２の再生モード下における前記所定の操作キーの作用に従って前記サムネイル表示ステップの実行を継続し、前記サムネイル表示ステップの実行後に、前記所定の操作キーが押下されていない場合は、前記主画像表示ステップを実行することを特徴としている。
【００１０】
【作用】
即ち、本発明の請求項１によるデジタルカメラは、操作者が指定すべき情報を入力するための操作キーを備えた指定情報入力手段と、前記記憶媒体に記録されたファイルが記録されている記録場所のうち、再生すべきファイルが記録されている場所の範囲を指定する再生範囲指定手段と、再生すべきファイルの再生順序を指定する再生順序指定手段と、再生すべきファイルのサムネイルを再生表示するサムネイル表示手段と、再生すべきファイルの主画像を再生表示する主画像表示手段と、再生動作を進行させるための前記指定情報入力手段の所定の操作キーが１回押下された時には、再生されるファイルの順序番号を、前記再生順序指定手段により指定された再生順序に従って１ファイル分だけ進める第１の再生モードと、再生動作を進行させるための前記指定情報入力手段の所定の操作キーが１回押下された時には、再生されるファイルの順序番号を、前記再生順序指定手段により指定された再生順序に従ってｎ（ｎ≧１）ファイル分だけ進める超高速の再生表示を実現する第２の再生モードと、前記第１の再生モードと第２の再生モードのいずれの再生モードであるかを指定する再生モード指定手段とを備え、このような構成により、前記第１の再生モードが指定されていて、かつ前記所定の操作キーが押下されている間は前記第１の再生モード下における前記所定の操作キーの作用に従って前記サムネイル表示手段の実行を継続し、前記サムネイル表示手段の実行後に、前記所定の操作キーが押下されていない場合は前記主画像表示手段を実行し、前記第２の再生モードが指定されていて、かつ前記所定の操作キーが押下されている間は前記第２の再生モード下における前記所定の操作キーの作用に従って前記サムネイル表示手段の実行を継続し、前記サムネイル表示手段の実行後に、前記所定の操作キーが押下されていない場合は、前記主画像表示手段を実行する。従って、再生すべきファイルの記録場所の範囲指定が簡単になると共に、この指定された範囲内で、１またはｎのファイル間隔で順次に再生表示されるサムネイル画像（主画像に対応している）を操作者が一目で視認できるようになり、これにより、主画像まで再生表示すべきファイルを、操作者が素早く見つけて選択することができる。
【００１１】
また、本発明の請求項２によるデジタルカメラは、前記記憶媒体に記録されたファイルの前記記録場所をコマ番号で示すと共に、代表的な全ファイル分のコマ数と、前記コマ数から所定の算式により決定される前記ｎの数値とを対応付けて一覧記載した対応表を備え、前記第２の再生モード下での再生時に使用される前記ｎの値を、実際の撮影により得られた全ファイルのファイル数に応じて前記対応表から選択するように構成する。このような構成とすることにより、ファイルにコマ番号を割り当てて、以後は、このコマ番号でファイルへアクセスできると共に、操作キーの１回の押下に対応したコマ送り数（即ち、前記ｎの値）が、撮影した画像データの全ファイル分に見合った値となるように所定の算式により自動的に設定されるので、主画像まで再生表示すべきファイルを、操作者が素早く見つけて選択することができる。
【００１２】
また、本発明の請求項３によるデジタルカメラは、前記記憶媒体に記録されたファイルの前記記録場所をコマ番号で示すと共に、代表的な全ファイル分のコマ数と、前記コマ数に対応させて前記操作者が予め決定した前記ｎの数値とを対応付けて一覧記載した対応表を備え、前記第２の再生モード下での再生時に使用される前記ｎの値を、実際の撮影により得られた全ファイルのファイル数に応じて前記対応表から選択するように構成する。このような構成とすることにより、従って、ファイルにコマ番号を割り当てて、以後は、このコマ番号でファイルへアクセスできると共に、操作キーの１回の押下に対応したコマ送り数（即ち、前記ｎの値）を、前記算式任せにはしないで、操作者が予め行った判断に基づいて設定することができる。
また、本発明の請求項４によるデジタルカメラは、前記指定情報入力手段の所定の複数の操作キーを同時に押下することで、超高速モードに入るように構成する。このような構成により、コストダウンの達成と、デザイン上のメリットとが得られるようにすると共に、超高速モードの指定を容易に、かつ迅速に行えるようにしている。
【００１３】
本発明の請求項５によるデジタルカメラの画像データ再生方法は、操作者が指定すべき情報を操作キーにより入力する指定情報入力ステップと、前記記憶媒体に記録されたファイルが記録されている記録場所のうち、再生すべきファイルが記録されている場所の範囲を指定する再生範囲指定ステップと、再生すべきファイルの再生順序を指定する再生順序指定ステップと、再生すべきファイルのサムネイルを再生表示するサムネイル表示ステップと、再生すべきファイルの主画像を再生表示する主画像表示ステップと、再生動作を進行させるための前記指定情報入力手段の所定の操作キーが１回押下された時には、再生されるファイルの順序番号を、前記再生順序指定手段により指定された再生順序に従って１ファイル分だけ進める状態であることを示す第１の再生モードを設定するステップと、再生動作を進行させるための前記指定情報入力手段の所定の操作キーが１回押下された時には、再生されるファイルの順序番号を、前記再生順序指定手段により指定された再生順序に従ってｎ（ｎ≧１）ファイル分だけ進める状態であることを示す第２の再生モードを設定するステップと、前記第１の再生モードと第２の再生モードのいずれの再生モードであるかを指定する再生モード指定ステップとを備え、前記第１の再生モードが指定されていて、かつ前記所定の操作キーが押下されている間は前記第１の再生モード下における前記所定の操作キーの作用に従って前記サムネイル表示ステップの実行を継続し、前記サムネイル表示ステップの実行後に、前記所定の操作キーが押下されていない場合は前記主画像表示ステップを実行し、前記第２の再生モードが指定されていて、かつ前記所定の操作キーが押下されている間は前記第２の再生モード下における前記所定の操作キーの作用に従って前記サムネイル表示ステップの実行を継続し、前記サムネイル表示ステップの実行後に、前記所定の操作キーが押下されていない場合は、前記主画像表示ステップを実行する。
従って、再生すべきファイルの記録場所の範囲指定が簡単になると共に、この指定された範囲内で、１またはｎ（ｎ≧１）のファイル間隔で順次に再生表示されるサムネイル画像（主画像に対応している）を操作者が一目で視認できるようになるので、主画像まで再生表示すべきファイルを、操作者が素早く見つけて選択することができる。
【００１４】
【発明の実施の形態】
以下、本発明の実施の形態に基づき、図面を参照して本発明のデジタルカメラを説明する。
図１は、本発明の実施の形態に係るデジタルカメラの要部の構成を示している。
図１に示すデジタルカメラは、レンズ１と、メカニカルシャッター２と、ＣＣＤ３と、ＣＣＤ３からの出力信号を相関二重サンプリングしてＡ／Ｄ変換するＣＤＳ／ＡＤ部４と、デジタル信号を輝度Ｙ、色差Ｕ，Ｖ信号に変換したり、そのＹＵＶデータをＪＰＥＧ圧縮し、かつ画像サイズを変更する画像処理プロセッサ５（ＤＳＰ部）と、メカニカル部の駆動、即ちレンズ１を駆動（フォーカス駆動）及びメカニカルシャッター２の開閉動作を行うドライバ部６と、ＣＣＤ駆動回路部７と、カメラ全体を制御するＣＰＵ８（システム制御部）と、撮像した画像データ、ファイルからのリードデータを一時期保持するメモリ９と、カメラの着脱可能なメモリカード（外部ストレージカード）とのインターフェイスを担うメモリカードＩ／Ｆ１１と、画像処理プロセッサ５（ＤＳＰ部）からの映像出力信号をＬＣＤ表示可能な信号に変換する表示コントローラ（図示は省略）と、実際にそれを表示するＬＣＤ（図示は省略）とからなる表示部１２と、カメラユーザ（以下、「ユーザ」と称する）が操作可能なＳＷ（スイッチ）類、レリーズキーズーム等の操作キーおよび電源キー等を具備した指定情報入力手段としての操作部１３と、入出力信号（アナログ）の処理を行う音声ＣＯＤＥＣ１４と、システム全体に電源を供給する電源部１５とを具備する。
【００１５】
以下、本発明の本実施の形態に係るデジタルカメラの機能を説明する。
表示部１２は、その表示方法として、撮影時にモニタリングの映像を表示するモード、再生画像を通常表示するモードおよび複数の縮小された撮影画像を一覧として表示するサムネイル画像表示モード等を備える。
音声ＣＯＤＥＣ１４は、入力アナログ部からのアナログ信号をデジタル変換して音声データファイルとしてメモリ９に蓄積すると共に、再生時に音声ファイルをアナログに変換して出力アナログ部から出力部スピーカ（図示は省略）にて再生するものとして構成され、動画音付きや、アフレコといった用途に使われている。
ファイルシステムは、一般のパーソナルコンピュータと同様にディレクトリ、即ちホルダの概念が存在する。デジタルカメラの標準ＯＳ仕様としては、ＤＣＦ標準でのＤＯＳ（ディスクオペレーションシステム）などが知られている。
【００１６】
撮影時、静止画ファイルは、ファイルシステムに属するメモリカードＩ／Ｆ１１経由で、着脱可能な記憶媒体に記録、再生されるが、この記憶媒体は、記録／再生対象ディレクトリ情報として、下記の表１に示すような複数のホルダを具備しており、デジタルカメラで撮影したファイルは、上記ホルダの中に格納される。
【００１７】
【表１】
2004112708.tif 000003
【００１８】
また、デジタルカメラの場合においては、コマ番号で管理されるのが通常であり、例えば、撮影により、１１７枚の画像データが得られていたとすれば、その拡張子付きのファイル名は、ＲＩＭＧ００１．ｊｐｇ〜ＲＩＭＧ１１７．ＪＰＧまで存在し、対応するコマ番号は、下記の表２に示すように、番号の若いものからコマ番号００１〜１１７といった具合に管理される。
【００１９】
【表２】
2004112708.tif 000004
【００２０】
再生時の利用者の操作は、従来と同様である。再生モード状態において、利用者の操作により再生の指示があると、その指示内容は操作部１３よりＣＰＵ８（システム制御部）に伝えられる。この指示内容には、記憶媒体上の再生すべきファイルの記録場所（より具体的にはコマ番号）の範囲の指定も含めることができる（再生範囲指定手段）。
【００２１】
また、通常の高速再生を指定するモード（第１の再生モード）と、超高速再生を指定するモード（第２の再生モード）のいずれか１つを再生モード指定手段により、選択することができる。
ＣＰＵ８（システム制御部）は、メモリカードＩ／Ｆ１１を介して記憶媒体内のファイル管理情報を読み出し、前述したファイル名に対応するフォーマット（「ＲＩＭＧ」＋連続番号）に従う表２のコマ番号に対応するファイルのうち、前述の操作で指定されたコマに対応するファイルに対して若い番号からの順（即ち、正順）でコマ番号を割り振り、表３に示すようなコマ番号管理テーブルを作成する。この時、前述したフォーマットに従っていないファイルは無視される。
【００２２】
【表３】
2004112708.tif 000005
【００２３】
表３に示すコマ番号は、１からの連続番号であり、再生処理におけるファイル名の指定は、コマ番号をキーとして表３を参照することで行われるものとする。
また、ＣＰＵ８（システム制御部）は、メモリカードＩ／Ｆ１１を介して、コンパクトフラッシュ（登録商標）や、ＳＤ（商標）カード、メモリスティック（商標）、スマートメディア（Ｓｍａｒｔ　ｍｅｄｉａ：登録商標）、ＸＤ（登録商標）カード、マイクロドライブ（ＭＩＣＲＯＤＲＩＶＥ：登録商標）といった記憶媒体から、最大のコマ番号のファイルを読み出し、ＣＰＵ８内のメモリ（図示は省略）上に書き込む。
【００２４】
表２に示す　ＲＩＭＧ００１．ＪＰＧといったファイル（撮影により得られたファイル）は、サムネイル用の静止画像（複数の画面を一覧表示できるように縮小された静止画像）と、主画像とを格納している。
図２は、本発明の実施の形態に係るデジタルカメラの操作部における操作パネルのキーの１構成例を示している。
以下、超高速再生モードではない「通常の再生モード」での動作を説明する。
通常の再生モードでは、従来と同様に、画像処理プロセッサ５は、ＣＰＵ８による制御下で、最初に、上記サムネイル用の画像を伸張し、伸張した画像をサムネイル表示手段で表示し、その後、以下で説明する所定のキーの押下がなければ、主画像を取り出し、伸張し、主画像表示手段で表示部１２に表示する。
【００２５】
１つ前のコマを再生したい場合、ユーザは、図２に示す操作パネルにおいて、例えば左キーを１回押下する。これにより、「現在のコマ−１」のファイルが選択され、画像処理プロセッサ５は、ＣＰＵ８による制御下で、そのサムネイル、主画像の順序で画像データを伸張し、表示部１２に表示する（但し、この場合のキーは、必ずしも上記の左キーである必要はなく、ユーザが、その意味と対応付けて記憶できるキー（予め設定された所定のキー）であれば問題ない）。
サムネイルが表示された時点で、図２に示す操作パネルの左キーを押下の状態を続ければ、ＣＰＵ８は、高速再生が指定されたと見做し、以後の画像処理プロセッサ５による主画像の伸張を中止し、「現在のコマ−１」のファイルの読み込みを開始する。このように構成したことにより、通常は、左キーを押下し続けることにより、逆順の高速再生を、また、右キーを押下し続けることにより正順の高速再生をそれぞれ実行することができる。なお、逆順の場合においては、「現在のコマ番号−１」が再生され、正順においては「コマ番号＋１」が再生される。
なお、上記の正順または逆順は、予めユーザによって再生順序指定手段によって指定するか、別個のキーを選択して押下することができるものとする。
【００２６】
以下、「超高速再生モード」での動作を説明する。
超高速再生モードにおいて、前方のコマを探索しながら再生したい場合においては、ユーザは、図２に示す操作パネルにおいて、まず、例えば左キー（図２に示す操作パネルの左キー）を１回押下する。これにより、「現在のコマ−ｎ」（ｎ≧１）のファイルが選択され、画像処理プロセッサ５は、ＣＰＵ８による制御下で、前述の通常の再生モードと同様に、サムネイル、主画像といった順序で伸張し、表示部１２に表示する（但し、この場合のキーも、必ずしも上記の左キーである必要はなく、ユーザが、その意味と対応付けて記憶できるキー（予め設定された所定のキー）であれば問題ない）。
【００２７】
サムネイルが表示された時点で、超高速再生モードが選択されており、かつ前述の所定のキーの押下も持続していれば、ＣＰＵ８は、超高速再生モードが持続して指定されたと見做し、主画像の伸張を中止し、新たに、「現在のコマ−ｎ」（ｎ≧１）のファイルの読み込みを開始する。このように構成したことにより、通常は、右キーまたは左キーを押下し続けることにより、正順または逆順の高速再生を実行することができる。なお、逆順の場合においては、「現在のコマ番号−ｎ」（ｎ≧１）が再生され、正順においては「コマ番号＋ｎ」が再生される。
なお、前述の数値ｎ（ｎ≧１）は、全撮影枚数（即ち、全コマ数）に対応して一義的に決められる。下記の表４に示すように、超高速モードにおいても、全撮影枚数が小さい場合は、ｎも小さく、全撮影枚数が多い場合は、ｎも大きく設定される。
【００２８】
【表４】
2004112708.tif 000006
【００２９】
なお、設定モードを設けて、表２のコマ数と前記ｎとの対応関係を、設定モードにおいてユーザが設定できるように構成することも可能である。
また、超高速モードを指定するには、超高速モード指定キーを設けてもよいが、図２に示す操作パネルにおいて、ユーザが、複数のキーを押下し、これにより、ＣＰＵ８に、超高速モードであることを認識させるように構成することも可能である。
なお、前述の正順または逆順は、予めユーザによって再生順序指定手段をもって指定することができるものとする。
図３は、本発明の実施の形態に係るデジタルカメラの通常の再生モードにおける再生動作を示すフローチャートである。
以下、図１，２を参照しながら、図３に示すフローチャートを使用して本実施の形態に係るデジタルカメラの通常の再生モードにおける再生動作を説明する。
まず、ユーザが、操作部１３の操作パネル上の所定のキー（例えば、右キー）を押下する（Ｓ１０１）。
【００３０】
次に、ＣＰＵ８は、内部記憶領域のコマ番号（初期値は０）に１を加算し（ここでは右キー押下による正順読み出しとしているが、左キー押下による逆順読み出しの時は１を減算する）、この加算結果のコマ番号に対応するファイル名を表３から取り出し、記憶媒体上の前記ファイル名のファイルを、メモリカードＩ／Ｆ１１を介して読み込む（Ｓ１０２）。
次に、ＣＰＵ８は、上記読み込んだファイルのファイルヘッダーを解析し、必要なら、ユーザが既に入力しているファイル情報との照合を行う（Ｓ１０３）。
次に、ＣＰＵ８は、上記読み込んだファイルのサムネイル（縮小された画像データ）を読み出す（Ｓ１０４）。
次に、ＣＰＵ８は、画像処理プロセッサ５を介して、上記読み込んだサムネイルを所定または所与の倍率で伸張する（Ｓ１０５）。
次に、ＣＰＵ８は、画像処理プロセッサ５を介して、上記伸張されたサムネイルを表示部１２に表示する（Ｓ１０６）。
【００３１】
次に、ＣＰＵ８は、前述の所定のキーが未だ押下状態であるか否かを検証し、押下状態であれば、ステップＳ１０７においてＹＥＳに分岐し次のコマ番号のファイルを読み込むためにステップＳ１０２に戻る。また、押下状態でなければ、ステップＳ１０７をＮＯに分岐し、ステップＳ１０８に移る。
ステップＳ１０８では、ＣＰＵ８は、前述の読み込んだファイルの主画像を読み出す。
次に、ＣＰＵ８は、画像処理プロセッサ５を介して、上記読み込んだ主画像を所定または所与の倍率で伸張する（Ｓ１０９）。
次に、ＣＰＵ８は、画像処理プロセッサ５を介して、上記伸張された主画像を表示部１２に表示する（Ｓ１１０）。
図４は、本発明の実施の形態に係るデジタルカメラの超高速再生モードにおける再生動作を示すフローチャートである。
この場合、再生モード指定手段により、第２の再生モードである超高速再生モードが指定されているものとする。
【００３２】
以下、図１，２を参照しながら、図４に示すフローチャートを使用して本実施の形態に係るデジタルカメラの超高速再生モードにおける再生動作を説明する。
まず、ユーザが、操作部１３の操作パネル上の所定のキー（例えば、右キー）を押下する（Ｓ２０１）。
次に、ＣＰＵ８は、内部記憶領域のコマ番号（初期値は０）にｎを加算し（ここでは右キー押下による正順読み出しとしているが、左キー押下による逆順読み出しの時はｎを減算する）、この加算結果のコマ番号に対応するファイル名を表３から取り出し、記憶媒体上の前記ファイル名のファイルを、メモリカードＩ／Ｆ１１を介して読み込む（Ｓ２０２）。
次に、ＣＰＵ８は、上記読み込んだファイルのファイルヘッダーを解析し、必要なら、ユーザが既に入力しているファイル情報との照合を行う（Ｓ２０３）。
次に、ＣＰＵ８は、上記読み込んだファイルのサムネイル（縮小された画像データ）を読み出す（Ｓ２０４）。
【００３３】
次に、ＣＰＵ８は、画像処理プロセッサ５を介して、上記読み込んだサムネイルを所定または所与の倍率で伸張する（Ｓ２０５）。
次に、ＣＰＵ８は、画像処理プロセッサ５を介して、上記伸張されたサムネイルを表示部１２に表示する（Ｓ２０６）。
次に、ＣＰＵ８は、超高速再生モードが持続しており、かつ前述の所定のキーが未だ押下状態を持続されているか否かを検証し、超高速再生モードが持続していて、かつ前述の所定のキーが未だ押下状態であれば、次のｎコマ後のコマ番号のファイルを読み込むためにステップＳ２０７をＹＥＳに分岐してステップＳ２０２に移る。また、超高速再生モードが持続していても、前述の所定のキーが既に押下状態でなければ、ステップＳ２０７をＮＯに分岐し、ステップＳ２０８に移る。
ステップＳ２０８では、ＣＰＵ８は、前述の読み込んだファイルの主画像を読み出す。
【００３４】
次に、ＣＰＵ８は、画像処理プロセッサ５を介して、上記読み込んだ主画像を所定または所与の倍率で伸張する（Ｓ２０９）。
次に、ＣＰＵ８は、画像処理プロセッサ５を介して、上記伸張された主画像を表示部１２に表示する（Ｓ２１０）。
なお、前述の再生処理において、サムネイルは、必ずしも逐一表示する必要はなく、サムネイル画像表示モードが指定されている場合には、複数分を纏めて、同時に表示（同一画面表示）することも可能である。
【００３５】
【発明の効果】
以上述べたように、本発明によれば、被写体を撮影して得られた画像データのファイルを記憶媒体に記録する機能と、前記記録された画像データのファイルを再生表示する機能を有するデジタルカメラにおいて、操作者が指定すべき情報を入力するための操作キーを備えた指定情報入力手段と、前記記憶媒体に記録されたファイルが記録されている記録場所のうち、再生すべきファイルが記録されている場所の範囲を指定する再生範囲指定手段と、再生すべきファイルの再生順序を指定する再生順序指定手段と、再生すべきファイルのサムネイルを再生表示するサムネイル表示手段と、再生すべきファイルの主画像を再生表示する主画像表示手段と、再生動作を進行させるための前記指定情報入力手段の所定の操作キーが１回押下された時には、再生されるファイルの順序番号を、前記再生順序指定手段により指定された再生順序に従って１ファイル分だけ進める第１の再生モードと、再生動作を進行させるための前記指定情報入力手段の所定の操作キーが１回押下された時には、再生されるファイルの順序番号を、前記再生順序指定手段により指定された再生順序に従ってｎ（ｎ≧１）ファイル分だけ進める超高速再生を実現する状態であることを示す第２の再生モードと、前記第１の再生モードと第２の再生モードのいずれの再生モードであるかを指定する再生モード指定手段とを備える構成とし、前記第１の再生モードが指定されていて、かつ前記所定の操作キーが押下されている間は前記第１の再生モード下における前記所定の操作キーの作用に従って前記サムネイル表示手段の実行を継続し、前記サムネイル表示手段の実行後に、前記所定の操作キーが押下されていない場合は前記主画像表示手段を実行し、前記第２の再生モードが指定されていて、かつ前記所定の操作キーが押下されている間は前記第２の再生モード下における前記所定の操作キーの作用に従って前記サムネイル表示手段による表示を超高速で実行し、前記サムネイル表示手段の実行後に、前記所定の操作キーが押下されていない場合は、前記主画像表示手段を実行するように構成したから、再生すべきファイルの記録場所の範囲指定が簡単になると共に、この指定された範囲内で、１またはｎ（ｎ≧１）のファイル間隔で順次に再生表示されるサムネイル画像（主画像に対応している）を操作者が一目で視認できるので、主画像まで再生表示すべきファイルを、操作者が素早く見つけて選択することができるデジタルカメラを提供することができる。
【００３６】
また、前記記憶媒体に記録されたファイルの前記記録場所をコマ番号で示すと共に、代表的な全ファイル分のコマ数と、前記コマ数から所定の算式により決定される前記ｎの数値とを対応付けて一覧記載した対応表を備えて、前記第２の再生モード下での再生時に使用される前記ｎ（ｎ≧１）の値を、実際の撮影により得られた全ファイルのファイル数に応じて前記対応表から選択するように構成したから、ファイルにコマ番号を割り当てて、以後は、このコマ番号でファイルへアクセスできると共に、操作キーの１回の押下に対応したコマ送り数（即ち、前記ｎの値）が、撮影した画像データの全ファイル分に見合った値となるように所定の算式により自動的に設定されるので、主画像まで再生表示すべきファイルを、操作者が素早く見つけて選択できるデジタルカメラを提供することができる。
また、前記記憶媒体に記録されたファイルの前記記録場所をコマ番号で示すと共に、代表的な全ファイル分のコマ数と、前記コマ数に対応させて前記操作者が予め決定した前記ｎの数値とを対応付けて一覧記載した対応表を備えるように構成したから、前記第２の再生モード下での再生時に使用される前記ｎ（ｎ≧１）の値を、実際の撮影により得られた全ファイルのファイル数に応じて前記対応表から選択する。
【００３７】
従って、ファイルにコマ番号を割り当てて、以後は、このコマ番号でファイルへアクセスできると共に、操作キーの１回の押下に対応したコマ送り数（即ち、前記ｎの値）を、前記算式任せにはしないで、操作者が予め行った判断に基づいて設定できるデジタルカメラを提供することができる。
さらに、前記指定情報入力手段の所定の複数の操作キーを同時に押下することで、前記超高速モードに入るように構成したから、コストダウンの達成と、デザイン上のメリットが得られると共に、前記超高速モードの指定を容易に、かつ迅速に行えるデジタルカメラを提供することができる。
【００３８】
また、本発明によれば、被写体を撮影して得られた画像データのファイルを再生表示するデジタルカメラの画像データ再生方法において、操作者が指定すべき情報を操作キーにより入力する指定情報入力ステップと、前記記憶媒体に記録されたファイルが記録されている記録場所のうち、再生すべきファイルが記録されている場所の範囲を指定する再生範囲指定ステップと、再生すべきファイルの再生順序を指定する再生順序指定ステップと、再生すべきファイルのサムネイルを再生表示するサムネイル表示ステップと、再生すべきファイルの主画像を再生表示する主画像表示ステップと、再生動作を進行させるための前記指定情報入力手段の所定の操作キーが１回押下された時には、再生されるファイルの順序番号を、前記再生順序指定手段により指定された再生順序に従って１ファイル分だけ進める状態であることを示す第１の再生モードを設定するステップと、再生動作を進行させるための前記指定情報入力手段の所定の操作キーが１回押下された時には、再生されるファイルの順序番号を、前記再生順序指定手段により指定された再生順序に従ってｎ（ｎ≧１）ファイル分だけ進める状態であることを示す第２の再生モードを設定するステップと、前記第１の再生モードと第２の再生モードのいずれの再生モードであるかを指定する再生モード指定ステップとを備えて、前記第１の再生モードが指定されていて、かつ前記所定の操作キーが押下されている間は前記第１の再生モード下における前記所定の操作キーの作用に従って前記サムネイル表示ステップの実行を継続し、前記サムネイル表示ステップの実行後に、前記所定の操作キーが押下されていない場合は前記主画像表示ステップを実行し、前記第２の再生モードが指定されていて、かつ前記所定の操作キーの押下が継続されている間は前記第２の再生モード下における前記所定の操作キーの作用に従って超高速下で前記サムネイル表示ステップの実行を継続し、前記サムネイル表示ステップの実行後に、前記所定の操作キーが押下されていない場合は、前記主画像表示ステップを実行するように構成したから、再生すべきファイルの記録場所の範囲指定が簡単になると共に、この指定された範囲内で、１またはｎ（ｎ≧１）のファイル間隔で順次に再生表示されるサムネイル画像（主画像に対応している）を操作者が一目で視認できるようになるので、主画像まで再生表示すべきファイルを、操作者が素早く見つけて選択することができるデジタルカメラの画像データ再生方法を提供することができる。
【図面の簡単な説明】
【図１】本発明の実施の形態に係るデジタルカメラの要部の構成を示すブロック図である。
【図２】本発明の実施の形態に係るデジタルカメラの操作部における操作パネルのキーの１構成例を示す正面図である。
【図３】本発明の実施の形態に係るデジタルカメラの通常の再生モードにおける再生動作を示すフローチャートである。
【図４】本発明の実施の形態に係るデジタルカメラの超高速再生モードにおける再生動作を示すフローチャートである。
【符号の説明】
１　レンズ
２　メカニカルシャッター
３　ＣＣＤ
４　ＣＤＳ／ＡＤ部
５　画像処理プロセッサ
６　ドライバ部
７　ＣＣＤ駆動回路部
８　ＣＰＵ
９　メモリ
１１　メモリカードＩ／Ｆ
１２　表示部
１３　操作部
１４　音声ＣＯＤＥＣ
１５　電源部
【図１】
2004112708.tif 000007
【図２】
2004112708.tif 000008
【図３】
2004112708.tif 000009
【図４】
2004112708.tif 000010